(57)【要約】【課題】外部のリーダライタからの電磁波を適切に受信してユーザが迅速且つ確実にサービスを利用することができる移動体端末装置及び受信感度報知方法を提供すること。【解決手段】外部リーダライタ（Ｒ／Ｗ）２と非接触で通信を行う移動体端末装置１において、ＩＣカード部１２で外部Ｒ／Ｗ２からの電磁波を受信すると、制御部１１で当該電磁波に応じた自装置の受信感度を判定し、報知部１４で判定された自装置の受信感度に応じて異なる内容をユーザに報知する。報知部１４は、ディスプレイ１４１、振動素子１４２、スピーカ１４３又は発光素子１４４のいずれか又はこれらの組合せによりユーザへの報知を行う。【選択図】図２
2007074102.tif 000002
【特許請求の範囲】
【請求項１】
外部のリーダライタと非接触で通信を行う移動体端末装置であって、前記リーダライタからの電磁波を受信する受信手段と、前記電磁波に応じた自装置の受信感度を判定する判定手段と、前記自装置の受信感度に応じて異なる内容をユーザに報知する報知手段と、を具備することを特徴とする移動体端末装置。
【請求項２】
前記報知手段は、前記自装置の受信感度が最も良好となる前記リーダライタ上の位置を把握可能な内容を報知することを特徴とする請求項１記載の移動体端末装置。
【請求項３】
前記報知手段は、前記自装置の受信感度が最も良好となる前記リーダライタ上の位置に自装置を導く内容を報知することを特徴とする請求項２記載の移動体端末装置。
【請求項４】
前記報知手段は、前記自装置の受信感度が最も良好となる前記リーダライタ上の位置までの距離に対応する内容を報知することを特徴とする請求項３記載の移動体端末装置。
【請求項５】
前記報知手段は、前記自装置の受信感度に応じた内容を表示する表示手段、前記自装置の受信感度に応じて振動する振動手段、前記自装置の受信感度に応じた音声を出力する音声出力手段又は前記自装置の受信感度に応じて発光する発光手段のいずれか又はこれらの組合せを備えることを特徴とする請求項１から請求項４のいずれかに記載の移動体端末装置。
【請求項６】
外部のリーダライタと非接触で通信を行う移動体端末装置における受信感度報知方法であって、前記リーダライタからの電磁波を受信し、前記電磁波に応じた自装置の受信感度を判定し、前記自装置の受信感度に応じて異なる内容をユーザに報知することを特徴とする受信感度報知方法。
【請求項７】
前記自装置の受信感度が最も良好となる前記リーダライタ上の位置を把握可能な内容を報知することを特徴とする請求項６記載の受信感度報知方法。
【請求項８】
前記自装置の受信感度が最も良好となる前記リーダライタ上の位置に自装置を導く内容を報知することを特徴とする請求項７記載の受信感度報知方法。
【請求項９】
前記自装置の受信感度が最も良好となる前記リーダライタ上の位置までの距離に対応する内容を報知することを特徴とする請求項８記載の受信感度報知方法。
【発明の詳細な説明】
【技術分野】
【０００１】
本発明は、移動体端末装置及び受信感度報知方法に関し、特に、非接触カード機能を搭載した移動体端末装置及びその受信感度報知方法に関する。
【背景技術】
【０００２】
現在、非接触カード機能を搭載した携帯端末は広く普及しており、これらの携帯端末を用いた多種多様のサービスが提供されている。例えば、その代表的なサービスとして知られている電子決済サービスの他（例えば、特許文献１参照）、航空機の搭乗手続きや住宅の施錠・開錠を行うことなども可能となっている。今後、非接触カード機能の利用範囲は、更に拡大することが予想される。このような状況下においては、非接触カード機能の利用時における操作性をいかに向上するかが重要な課題となってくる。
【特許文献１】特願２００２−１０９４２７号公報
【発明の開示】
【発明が解決しようとする課題】
【０００３】
上述のような各種サービスにおいて、携帯端末の非接触カード機能を利用する際には、店舗などに配設された外部リーダ／ライタ（Ｒ／Ｗ）から発信される電磁波を用いた情報通信によって、携帯端末の非接触カード部と外部Ｒ／Ｗとの間で必要な情報を交換している。従って、携帯端末でサービスの提供を受けるためには、外部Ｒ／Ｗからの電磁波を非接触カード部で適切に受信することが必要となる。ところが、非接触カード部でこの電磁波を適切に受信できる範囲は非常に限られている。このため、非接触カード部を外部Ｒ／Ｗ上の所定位置にかざさない場合には、外部Ｒ／Ｗからの電磁波を受信できず、携帯端末でサービスの提供を受けることができないという問題がある。
【０００４】
携帯端末においては、非接触カード部を外部Ｒ／Ｗの所定位置にかざすことができるように、非接触カード部に対応する外面部分に一定のマークを付すなどの工夫が為されている。しかし、外部Ｒ／Ｗに携帯端末をかざす際には、当該マークがユーザから死角に配置されることとなるため、上述のような課題が完全に解決するには至っていない。
【０００５】
本発明はかかる点に鑑みてなされたものであり、外部のリーダライタからの電磁波を適切に受信してユーザが迅速且つ確実にサービスを利用することができる移動体端末装置及び受信感度報知方法を提供することを目的とする。
【課題を解決するための手段】
【０００６】
本発明の移動体端末装置は、外部のリーダライタと非接触で通信を行う移動体端末装置であって、前記リーダライタからの電磁波を受信する受信手段と、前記電磁波に応じた自装置の受信感度を判定する判定手段と、前記自装置の受信感度に応じて異なる内容をユーザに報知する報知手段と、を具備することを特徴とする。
【０００７】
この構成によれば、自装置の受信感度に応じて異なる内容をユーザに報知するようにしたので、受信感度に応じて報知内容を設定しておくことで、リーダライタからの電磁波を適切に受信できる位置をユーザに把握させることが可能となる。そして、当該位置でリーダライタとの通信を行うことで、後続するサービス提供に必要な情報を不備なく交換可能となるので、ユーザにおいて迅速且つ確実にサービスを利用することが可能となる。
【０００８】
本発明の移動体端末装置において、前記報知手段は、前記自装置の受信感度が最も良好となる前記リーダライタ上の位置を把握可能な内容を報知することが好ましい。この構成によれば、報知内容を通じてリーダライタからの電磁波を適切に受信できる位置をユーザに把握させることが可能となる。
【０００９】
また、本発明の移動体端末装置において、前記報知手段は、前記自装置の受信感度が最も良好となる前記リーダライタ上の位置に自装置を導く内容を報知することが好ましい。この構成によれば、報知内容を通じてリーダライタからの電磁波を適切に受信できる位置に自装置を導くことが可能となるので、ユーザにおいて当該位置を簡単且つ確実に把握することが可能となる。
【００１０】
例えば、前記報知手段は、前記自装置の受信感度が最も良好となる前記リーダライタ上の位置までの距離に対応する内容を報知するようにしても良い。この場合、距離に対応する報知内容を通じてリーダライタからの電磁波を適切に受信できる位置に自装置を導くことが可能となるので、ユーザにおいて当該位置までの距離を一見して認識でき、当該位置をより簡単且つ確実に把握することが可能となる。
【００１１】
さらに、本発明の移動体端末装置において、前記報知手段は、前記自装置の受信感度に応じた内容を表示する表示手段、前記自装置の受信感度に応じて振動する振動手段、前記自装置の受信感度に応じた音声を出力する音声出力手段又は前記自装置の受信感度に応じて発光する発光手段のいずれか又はこれらの組合せを備えることが好ましい。この構成によれば、表示手段、振動手段、音声出力手段又は発光手段のいずれか又はこれらの組合せによってリーダライタからの電磁波を適切に受信できる位置をユーザに把握させることが可能となる。
【００１２】
本発明の受信感度報知方法は、外部のリーダライタと非接触で通信を行う移動体端末装置における受信感度報知方法であって、前記リーダライタからの電磁波を受信し、前記電磁波に応じた自装置の受信感度を判定し、前記自装置の受信感度に応じて異なる内容をユーザに報知することを特徴とする。
【００１３】
この方法によれば、自装置の受信感度に応じて異なる内容をユーザに報知するようにしたので、受信感度に応じて報知内容を設定しておくことで、リーダライタからの電磁波を適切に受信できる位置をユーザに把握させることが可能となる。そして、当該位置でリーダライタとの通信を行うことで、後続するサービス提供に必要な情報を不備なく交換可能となるので、ユーザにおいて迅速且つ確実にサービスを利用することが可能となる。
【００１４】
本発明の受信感度報知方法において、前記自装置の受信感度が最も良好となる前記リーダライタ上の位置を把握可能な内容を報知することが好ましい。この場合には、報知内容に応じてリーダライタからの電磁波を適切に受信できる位置をユーザに把握させることが可能となる。
【００１５】
また、本発明の受信感度報知方法において、前記自装置の受信感度が最も良好となる前記リーダライタ上の位置に自装置を導く内容を報知することが好ましい。この場合、報知内容を通じてリーダライタからの電磁波を適切に受信できる位置に自装置を導くことが可能となるので、ユーザにおいて当該位置を簡単且つ確実に把握することが可能となる。
【００１６】
例えば、前記自装置の受信感度が最も良好となる前記リーダライタ上の位置までの距離に対応する内容を報知するようにしても良い。この場合、距離に対応する報知内容を通じてリーダライタからの電磁波を適切に受信できる位置に自装置を導くことが可能となるので、ユーザにおいて当該位置までの距離を一見して認識でき、当該位置をより簡単且つ確実に把握することが可能となる。
【発明の効果】
【００１７】
本発明に係る移動体端末装置によれば、外部リーダライタからの電磁波を受信する受信手段と、前記電磁波に応じた自装置の受信感度を判定する判定手段と、前記自装置の受信感度に応じて異なる内容をユーザに報知する報知手段と、を具備するので、前記リーダライタからの電磁波を適切に受信してユーザが迅速且つ確実にサービスを利用することが可能となる。
【発明を実施するための最良の形態】
【００１８】
以下、本発明の実施の形態について、添付図面を参照して詳細に説明する。なお、本発明に係る移動体端末装置及び受信感度報知方法は、移動体端末装置の非接触カード機能を用いたサービスの提供を受ける際、当該サービスの提供前における外部Ｒ／Ｗとの情報通信を行う際の効率性を向上するものである。このため、非接触カード機能を用いたあらゆるサービスに適用することが可能である。
【００１９】
図１は、本発明の一実施の形態に係る移動体端末装置の非接触カード機能を用いたサービス提供システムの概略構成を示す図である。図１に示すシステムは、本発明に係る移動体端末（携帯電話）１と、この移動体端末１にサービス提供を行うサービス提供者の店舗等に配設される外部Ｒ／Ｗ２と、外部Ｒ／Ｗ２と接続されたサービス提供装置３とから主に構成されている。サービス提供装置３は、移動体端末１の非接触カード機能を用いた情報通信により必要な情報を交換した後、電子決済サービスなどの各種サービスを移動体端末１に提供する。
【００２０】
図１に示す移動体端末１は、図２に示す構成を有する。図２は、本発明の一実施の形態に係る移動体端末装置の概略構成を示す図である。なお、図２に示す構成は、本発明を説明するために簡略化したものであり、通常の移動体端末装置に搭載される構成要素は備えているものとする。ここで、移動体端末１は、折り畳み式の形状を有するものとし、非接触カード機能がフェリカ（FeliCa）（登録商標）である場合について説明するものとする。
【００２１】
移動体端末１は、端末全体の制御を行う制御部１１と、非接触カード機能を実現するためのＩＣカード部１２と、移動体端末１における受信感度に応じた内容をユーザに報知するための制御（以下、「報知制御」という）を行う報知制御部１３と、報知制御された文字や画像、振動、音声及び光によって移動体端末１における受信感度に応じた内容をユーザに対して報知する報知部１４と、報知の形態や内容を指定するデータ（以下、「報知データ」という）のテーブル（以下、「報知データテーブル」という）を格納する記憶部１５と、報知データの新規入力や更新の指示等をユーザから受け付ける入力部１６と、外部Ｒ／Ｗ２やネットワークとの間の通信を制御する通信制御部１７と、アンテナ１８とを含んでいる。
【００２２】
ＩＣカード部１２は、フェリカコンテンツをバッファリングする非接触ＩＣチップ１２１と、非接触カード機能を実現させるためのコントローラ（フェリカオペレーティングシステム）１２２とを有する。報知制御部１３は、移動体端末１で使用される表示を制御する表示制御部１３１と、移動体端末１で使用される振動（バイブレーション）を制御する振動制御部１３２と、移動体端末１で使用される音声を制御する音声制御部１３３と、移動体端末１で使用される発光を制御する発光制御部１３４とを有する。報知部１４は、表示制御された文字、画像及び映像を表示するディスプレイ１４１と、振動制御に応じて振動する振動素子１４２と、音声制御された音声（メロディを含む）を出力するスピーカ１４３と、発光制御に応じて発光する発光素子１４４とを有する。
【００２３】
ディスプレイ１４１は、移動体端末１のメイン画面を構成するメインディスプレイ１４１１と、サブ画面を構成するサブディスプレイ１４１２とを有する。メインディスプレイ１４１１は、移動体端末１を開いた状態で駆動するものとし、サブディスプレイ１４１２は、移動体端末１を閉じた状態で駆動するものとする。発光素子１４４は、複数色の発光が可能な構成を有する。ここでは、赤色及び青色の２色が発光可能に構成されている。
【００２４】
ＩＣカード部１２は、外部Ｒ／Ｗ２との間で非接触カード通信を行う。すなわち、外部Ｒ／Ｗ２から発信する電磁波をＩＣカード部１２が受信すると、その電磁波によりＩＣカード部１２のコイルに電流が流れることで、コントローラ１２２が起動してＩＣカード部１２が使用可能となる。そして、この起動状態下において、外部Ｒ／Ｗ２から種々の情報（例えば、フェリカコンテンツ）を取得することが可能となる。このようにして取得した種々の情報は、必要に応じて非接触ＩＣチップ１２１にバッファリングされる。
【００２５】
制御部１１は、判定手段として機能し、外部Ｒ／Ｗ２が発信する電磁波に応じて決定される移動体端末１における受信感度を判定し、その判定結果に応じた報知内容を報知制御部１３に通知する。制御部１１は、外部Ｒ／Ｗ２が発信する電磁波に応じてＩＣカード部１２のコイルに流れる電流量をモニタリングし、予め定めた閾値データ（電流量データ）と比較することで、移動体端末１における受信感度を判定する。また、制御部１１は、判定結果に応じた報知内容を報知制御部１３に通知する際、後述する報知データ内に指定された報知要素に応じて報知制御部１３のいずれかの該当制御部１３１〜１３４を選択して判定結果に応じた報知内容を通知する。なお、ここでは、移動体端末１における受信感度を判定する際、外部Ｒ／Ｗ２からの電磁波に応じてコイルに流れる電流量をモニタリングするが、受信感度の判定手法については、これに限定されるものではなく、適宜変更が可能である。
【００２６】
記憶部１５は、制御部１１が移動体端末１における受信感度を判定する際に参照する閾値データを格納すると共に、その閾値データを用いて判定される受信感度に対応した報知内容が登録された報知データテーブルを格納する。図３は、記憶部１５で管理される報知データテーブルの一例を示す図である。なお、図３においては、移動体端末１における受信感度を判定する際に参照する閾値データとして、２つの閾値データ（第１閾値データ、第２閾値データ）が設定された場合について示している。
【００２７】
図３に示すように、報知データテーブルにおいては、各報知データに、番号（報知データ番号）が割り当てられると共に、報知を行う要素（以下、「報知要素」という）、報知形態及び受信感度に応じた報知内容が登録されている。報知要素には、報知部１４のいずれかの構成要素が指定され、報知形態には、報知要素に応じた報知の形態が指定される。報知内容は、３つに分けて指定されている。すなわち、受信感度の判定に用いる電流量が、第１閾値データ以下である場合（以下、「通信不能レベルの場合」という）、第１閾値データと第２閾値データとの間である場合（以下、「通信準備レベルの場合」という）、並びに、第２閾値データ以上である場合（以下、「通信可能レベルの場合」という）に分けて指定されている。
【００２８】
報知制御部１３における表示制御部１３１、振動制御部１３２、音声制御部１３３及び発光制御部１３４は、制御部１１から通知された報知内容に応じて各報知要素（ディスプレイ１４１、振動素子１４２、スピーカ１４３及び発光素子１４４）を制御する。すなわち、表示制御部１３１は、受信感度に応じた表示内容をディスプレイ１４１に表示させ、振動制御部１３２は、受信感度に応じて振動素子１４２を振動させ、音声制御部１３３は、受信感度に応じた音声をスピーカ１４３から出力させ、発光制御部１３４は、受信感度に応じて発光素子１４４を発光させる。
【００２９】
ここで、図３に示す報知データテーブルの内容を参照しながら、本移動体端末１における報知内容について説明する。報知データ番号「１」の報知データ（以下、適宜「報知データ１」という。）においては、報知要素としてメインディスプレイ１４１１が設定され、報知形態として文字表示が設定されている。このため、例えば、入力部１６により報知データ１が選択された場合には、受信感度に応じてメインディスプレイ１４１１に異なる態様で文字表示が行われる。報知内容としては、受信感度が通信不能レベルの場合には文字表示を行わず、通信準備レベルの場合には「準備中」の文字を表示する一方、通信可能レベルの場合には「準備完了」の文字を表示する内容が設定されている。これにより、ユーザは、メインディスプレイ１４１１の文字表示を確認することで、移動体端末１における受信感度が良好な外部Ｒ／Ｗ２上の位置を把握することが可能となる。なお、報知データ２については、報知要素がサブディスプレイ１４１２である点を除き、報知データ１と同一である。
【００３０】
報知データ３においては、報知要素として振動素子１４２が設定され、報知形態として振動が設定されている。このため、例えば、入力部１６により報知データ３が選択された場合には、受信感度に応じて振動素子１４２が異なった態様で振動する。報知内容としては、受信感度が通信不能レベルの場合には振動を行わず、通信準備レベルの場合には「０．５秒間隔」で振動素子１４２を振動させる一方、通信可能レベルの場合には「１．０秒間隔」で振動素子１４２を振動させる内容が設定されている。これにより、ユーザは、振動素子１４２の振動を確認することで、移動体端末１における受信感度が良好な外部Ｒ／Ｗ２上の位置を把握することが可能となる。
【００３１】
報知データ４においては、報知要素としてスピーカ１４３が設定され、報知形態としてメロディ出力が設定されている。このため、例えば、入力部１６により報知データ４が選択された場合には、受信感度に応じてスピーカ１４３から異なる態様でメロディ出力が行われる。報知内容としては、受信感度が通信不能レベルの場合にはメロディ出力を行わず、通信準備レベルの場合には「小音量」でメロディ出力を行う一方、通信可能レベルの場合には「大音量」でメロディ出力を行う内容が設定されている。これにより、ユーザは、スピーカ１４３からのメロディ出力を確認することで、移動体端末１における受信感度が良好な外部Ｒ／Ｗ２上の位置を把握することが可能となる。
【００３２】
報知データ５においては、報知要素として発光素子１４４が設定され、報知形態として発光が設定されている。このため、例えば、入力部１６により報知データ５が選択された場合には、受信感度に応じて発光素子１４４が異なる態様で発光する。報知内容としては、受信感度が通信不能レベルの場合には発光を行わず、通信準備レベルの場合には「赤色」に発光素子１４４を発光させる一方、通信可能レベルの場合には「青色」に発光素子１４４を発光させる内容が設定されている。これにより、ユーザは、発光素子１４４における発光色を確認することで、移動体端末１における受信感度が良好な外部Ｒ／Ｗ２上の位置を把握することが可能となる。
【００３３】
また、報知データテーブルに登録される報知データにおいては、２種類以上の報知形態を組み合わせることも可能である。例えば、報知データ６においては、報知要素としてサブディスプレイ１４１２及びスピーカ１４３が設定され、報知形態として文字表示及びメロディ出力が設定されている。このため、例えば、入力部１６により報知データ６が選択された場合には、受信感度に応じてサブディスプレイ１４１２に異なる態様で文字表示が行われると共に、スピーカ１４３から異なる態様でメロディ出力が行われる。報知内容としては、受信感度が通信不能レベルの場合には文字表示及びメロディ出力を行わず、通信準備レベルの場合には「準備中」の文字を表示すると共に「小音量」でメロディ出力を行う一方、通信可能レベルの場合には「準備完了」の文字を表示すると共に「大音量」でメロディ出力を行う内容が設定されている。これにより、ユーザは、サブディスプレイ１４１２の表示と共にスピーカ１４３からのメロディ出力を確認することで、移動体端末１における受信感度が良好な外部Ｒ／Ｗ２上の位置を把握することが可能となる。
【００３４】
なお、図３に示す報知データの内容は一例を示したものであり、ユーザに対して受信感度を分かり易く報知することを目的として適宜変更が可能である。図３に示す例でいえば、受信感度に応じてメインディスプレイ１４１１に表示される文字（報知データ１）、振動素子１４２を振動させる時間（報知データ２）、スピーカ１４３から出力させる音声等（報知データ３）、発光素子１４４による発光色（報知データ４）などについて任意に設定することが可能である。特に、報知の態様として好適なディスプレイ１４１については、文字だけでなく画像を組み合わせた態様や、画像のみの態様で受信感度に応じた内容をユーザに報知することも可能である。これらの報知内容を、入力部１６を用いてユーザから任意に設定するようにすることも可能である。
【００３５】
また、図３においては、２つの閾値データを設定した場合について示しているが、閾値データの設定数についても適宜変更が可能である。複数の閾値データを設定する際には、その設定数に応じて報知内容を設定することが好ましい。例えば、図３に示すように、複数の閾値データを設定しておき、受信感度が最も良好となる外部Ｒ／Ｗ２上の位置に移動体端末１を導くような報知内容を設定することは実施の形態として好ましい。このような報知内容を設定した場合には、当該報知内容を通じて外部Ｒ／Ｗ２からの電磁波を適切に受信できる位置に移動体端末１を導くことが可能となるので、ユーザにおいて当該位置を簡単且つ確実に把握することが可能となる。
【００３６】
受信感度が最も良好となる外部Ｒ／Ｗ２上の位置に移動体端末１を導く報知内容としては、サブディスプレイ１４１２における文字表示の場合には、受信感度が最も良好な外部Ｒ／Ｗ２上の位置までの距離に応じてその文字表示を変化させることが考えられる。この場合、受信感度が良好な最も良好な外部Ｒ／Ｗ２上の位置に到達するまでの残りの距離（例えば、「残り２ｃｍ」など）等の文字表示を行うことが想定される。このような報知内容を設定した場合、距離に対応する報知内容を通じて外部Ｒ／Ｗ２からの電磁波を適切に受信できる位置に移動体端末１を導くことが可能となるので、ユーザは、サブディスプレイ１４１２の表示を確認することで、当該位置までの距離を一見して認識でき、当該位置をより簡単且つ確実に把握することが可能となる。なお、ここでは、受信感度が最も良好となる外部Ｒ／Ｗ２上の位置に移動体端末１を導く報知内容の例として、報知形態がサブディスプレイ１４１２における文字表示の場合について示しているが、報知部１４における他の構成要素に適用することが可能である。例えば、報知形態がスピーカ４における音声出力の場合には、受信感度が良好な最も良好な外部Ｒ／Ｗ２上の位置に到達するまでの残りの距離（例えば、「残り２ｃｍ」など）等の音声出力を行うことなどが考えられる。
【００３７】
次に、上記構成を有する移動体端末装置において受信感度をユーザに報知する場合の処理について図４を用いて説明する。図４は、本実施の形態に係る移動体端末装置において受信感度をユーザに報知する処理を説明するためのシーケンス図である。
【００３８】
移動体端末１において、ＩＣカード部１２は、常時、店舗等に配設された外部Ｒ／Ｗ２から発信される電磁波を待機した状態となっており、制御部１１は、外部Ｒ／Ｗ２からの電磁波に応じてＩＣカード部１２のコイルに流れる電流量を監視することで、外部Ｒ／Ｗ２から電磁波を受信したか監視している（ＳＴ１）。電磁波を受信したと判定すると、制御部１１は、記憶部１５から閾値データ（ここでは、第１閾値データ及び第２閾値データ）を読み出す（ＳＴ２）。そして、外部Ｒ／Ｗ２から受信した電磁波に応じて決定される受信感度を判定する（ＳＴ３）。具体的には、外部Ｒ／Ｗ２から受信した電磁波によりＩＣカード部１２のコイルに流れる電流量と、第１閾値データ及び第２閾値データに設定された電流量とを比較することで受信感度を判定する。
【００３９】
受信感度を判定した後、制御部１１は、記憶部１５から報知データを読み出す（ＳＴ４）。そして、この読み出した報知データから報知要素及び報知内容を抽出し、抽出した報知要素に対応する報知制御部１３内の該当制御部に判定結果に応じた報知内容を通知する（ＳＴ５）。報知制御部１３内の該当制御部は、制御部１１から通知された報知内容に応じて、管理下の報知要素の報知制御を行う（ＳＴ６）。具体的には、管理下の報知要素に対して判定結果に応じた報知内容の報知を指示する（報知指示）。報知指示を受けた報知要素は、この報知指示に含まれる報知内容に応じて報知処理を行う（ＳＴ７）。移動体端末１においては、このような電磁波の受信から報知処理までの処理を、電磁波を受信している間、継続する。ユーザは、このようにして報知される報知内容を確認しながら、移動体端末１の位置を移動させることで、移動体端末１における受信感度が良好な外部Ｒ／Ｗ２上の位置を把握することが可能となる。
【００４０】
ここで、図４に示すシーケンスに従って報知される内容について図３に示す報知データ、並びに、図５及び図６を用いて具体的に説明する。なお、ここでは、図３に示す報知データ２がユーザにより選択された場合について説明するものとする。
【００４１】
図５は、外部Ｒ／Ｗ２の外観について示す図であり、図６は、閉じた状態における移動体端末１の外観について示す図である。図５に示すように、外部Ｒ／Ｗ２の表面中央には、移動体端末１をかざす目標とされるマーク２１が付されている。また、外部Ｒ／Ｗ２の表面近傍には、マーク２１を中心として、移動体端末１における受信感度が通信可能レベルとなる領域（通信可能レベル領域）２２が形成され、この通信可能レベル領域２２の外側に、受信感度が通信準備レベルとなる領域（通信準備レベル領域）２３が形成され、この通信準備レベル領域２４の外側に、受信感度が通信不能レベルとなる領域（通信不能レベル領域）２４が形成されている。また、移動体端末１の外面には、図６（ａ）に示すように、サブディスプレイ１４１２が配設されると共に、その近傍に発光素子１４４及び撮像素子Ｃが配設されている。
【００４２】
図４に示すシーケンスに従って処理を行う過程で、ＳＴ３にて移動体端末１における受信感度の判定を行うと、制御部１１は、記憶部１５から報知データを読み出し（ＳＴ４）、当該報知データから報知要素及び報知内容を抽出する。ここでは、報知データ２が読み出され、報知要素としてサブディスプレイ１４１２、報知内容として各受信感度に応じた文字情報が抽出される。そして、制御部１１は、サブディスプレイ１４１２に対応する表示制御部１３１に受信感度の判定結果に応じた報知内容を通知する（ＳＴ５）。すなわち、受信感度が通信不能レベルの場合には、表示対象となる文字情報がない旨を通知し、通信準備レベルの場合には、表示対象となる文字情報が「準備中」である旨を通知し、通信可能レベルの場合には、表示対象となる文字情報が「準備完了」である旨を通知する。
【００４３】
報知内容の通知を受けると、表示制御部１３１は、その報知内容に応じてサブディスプレイ１４１２の表示を制御する（ＳＴ６）。具体的には、受信感度の判定結果に応じた報知内容の表示を指示する。この指示を受けたサブディスプレイ１４１２は、当該指示に含まれる報知内容を表示する（ＳＴ７）。例えば、移動体端末１が図５に示す通信不能レベル領域２４に位置する場合には、図６（ａ）に示すように、サブディスプレイ１４１２には文字表示が行われることはない。そして、移動体端末１が図５に示す通信準備レベル領域２３内に移動した場合には、図６（ｂ）に示すように、サブディスプレイ１４１２には「準備中」の文字表示が行われることとなる。さらに、移動体端末１が図５に示す通信可能レベル領域２２内に移動した場合には、図６（ｃ）に示すように、サブディスプレイ１４１２には「準備完了」の文字表示が行われることとなる。したがって、ユーザは、このようなサブディスプレイ１４１２上の文字表示を確認しながら移動体端末１の外部Ｒ／Ｗ２上の位置を移動させることで、移動体端末１における受信感度が良好な外部Ｒ／Ｗ２上の位置を把握することが可能となる。
【００４４】
このように本実施の形態に係る移動体端末１においては、外部Ｒ／Ｗ２からの電磁波を受信し、当該電磁波に応じた自装置の受信感度を判定し、その受信感度に応じて異なる内容をユーザに報知するようにしたので、受信感度に応じて報知内容を設定しておくことで、外部Ｒ／Ｗ２からの電磁波を適切に受信できる位置をユーザに把握させることが可能となる。そして、当該位置で外部Ｒ／Ｗ２との通信を行うことで、後続するサービス提供に必要な情報を不備なく交換可能となるので、ユーザにおいて迅速且つ確実にサービスを利用することが可能となる。
【００４５】
特に、本実施の形態に係る移動体端末１においては、自装置の受信感度が最も良好となる外部Ｒ／Ｗ２上の位置を把握可能な内容（例えば、図３に示す報知データ１の「準備完了」など）を報知するようにしている。これにより、当該報知内容に応じて外部Ｒ／Ｗ２からの電磁波を適切に受信できる位置をユーザに確実に把握させることが可能となる。
【００４６】
なお、上記実施の形態においては、ユーザに報知する内容として、移動体端末１における受信感度に応じた内容をユーザに報知する場合について説明している。しかし、ユーザに報知する内容としては、受信感度に応じた内容に限らず、後続するサービス内容に応じた情報を含めるようにしても良い。例えば、後続するサービス内容が電子決済サービスであって、移動体端末１における受信感度の報知をサブディスプレイ１４１２で行う場合（ここでは、図６を想定）には、図６（ｃ）に示す文字表示の代わりに図７に示すように、電子決済サービスで利用可能な残高等の情報を表示するようにしても良い。この場合には、移動体端末１における受信感度の良好な外部Ｒ／Ｗ２上の位置を把握することができると共に、後続するサービス内容に応じた情報も確認することができることから、ユーザにおける確認処理の回数を減らすことが可能となるので、より非接触カード機能の利用時における操作性の向上することが可能となる。
【００４７】
本発明は上記実施の形態に限定されず、種々変更して実施することが可能である。例えば、上記実施の形態においては、非接触カード機能がフェリカである場合について説明しているが、本発明は非接触カード機能がフェリカ以外の非接触カード機能である場合にも同様に適用することができる。その他、本発明の範囲を逸脱しない限りにおいて適宜変更して実施することが可能である。
【００４８】
例えば、上記実施の形態においては、移動体端末装置にサービス提供を行うサービス提供者の店舗等に配設された外部Ｒ／Ｗ２からの電磁波に応じて判定した自装置の受信感度に応じて異なる内容をユーザに報知する場合について示しているが、外部Ｒ／Ｗ２の態様について、これに限定されるものではなく、この他の態様にも適用可能である。例えば、当該外部Ｒ／Ｗ２と同様のリーダライタ（Ｒ／Ｗ）機能が移動体端末装置等に搭載される態様においても適用可能である。この場合には、移動体端末装置間で非接触ＩＣカード機能を用いて情報通信等を行う場合において、互いに受信感度の良好な位置を把握でき、適切にその情報通信を行うことが可能となる。
【図面の簡単な説明】
【００４９】
【図１】本発明の一実施の形態に係る移動体端末装置の非接触カード機能を用いたサービス提供システムの概略構成を示す図である。
【図２】上記実施の形態に係る移動体端末装置の概略構成を示す図である。
【図３】上記実施の形態に係る移動体端末装置が有する記憶部で管理される報知データテーブルの一例を示す図である。
【図４】上記実施の形態に係る移動体端末装置において受信感度をユーザに報知する処理を説明するためのシーケンス図である。
【図５】上記実施の形態に係る外部Ｒ／Ｗの外観について示す図である。
【図６】上記実施の形態に係る移動体端末の閉じた状態における外観であって、各種報知内容をサブディスプレイで表示した状態について示す図である。
【図７】上記実施の形態に係る移動体端末の閉じた状態における外観であって、報知内容の変形例をサブディスプレイで表示した状態について示す図である
【符号の説明】
【００５０】
１  移動体端末
２  外部Ｒ／Ｗ
３  サービス提供装置
１１  制御部
１２  ＩＣカード部
１３  報知制御部
１４  報知部
１５  記憶部
１６  入力部
１７  通信制御部
１８  アンテナ
１２１  非接触ＩＣチップ
１２２  コントローラ
１３１  表示制御部
１３２  振動制御部
１３３  音声制御部
１３４  発光制御部
１４１  ディスプレイ
１４２  振動素子
１４３  スピーカ
１４４  発光素子
１４１１  メインディスプレイ
１４１２  サブディスプレイ
【図１】
2007074102.tif 000003
【図２】
2007074102.tif 000004
【図３】
2007074102.tif 000005
【図４】
2007074102.tif 000006
【図５】
2007074102.tif 000007
【図６】
2007074102.tif 000008
【図７】
2007074102.tif 000009